(57)【要約】      （修正有）【課題】高いセキュリティを確保でき、病理診断の結果を医療機関に対して迅速に報告できる病理診断報告システム及び病理診断報告方法を提供する。【解決手段】病理標本を示す第１の識別記号８及び第２の識別記号１０を記憶する記憶手段１２と、病理診断を依頼する際に病理標本に添付する依頼書であって、依頼する検査内容、第１の識別記号及び前記第２の識別記号が記載された依頼書を作成する依頼書作成手段６と、第１の識別記号を含む非暗号化情報と、第２の識別記号を暗号化キーとして用いることにより診断結果を含む情報が暗号化された暗号化情報とが記載された紙媒体の診断報告書を読み取る読取手段１６と、読取手段により読み取られた第１の識別記号が付された病理標本の第２の識別記号を記憶手段１２から読み出す読出手段４と、読出手段により読み出された第２の識別記号１０を用いて暗号化情報を復号化する復号化手段４とを備える。【選択図】図１
2014102632.tif 000002
【特許請求の範囲】
【請求項１】
病理標本を示す記号である第１の識別記号及び第２の識別記号を記憶する記憶手段と、
病理医師に病理診断を依頼する際に前記病理標本に添付する依頼書であって、前記病理医師に依頼する検査内容、前記第１の識別記号及び前記第２の識別記号が記載された前記依頼書を作成する依頼書作成手段と、
前記第１の識別記号を含む非暗号化情報と、前記第２の識別記号を暗号化キーとして用いることにより前記病理医師による診断結果を含む情報が暗号化された暗号化情報とが記載された紙媒体の診断報告書を読み取る読取手段と、
前記読取手段により読み取られた前記第１の識別記号が付された前記病理標本の前記第２の識別記号を前記記憶手段から読み出す読出手段と、
前記読出手段により読み出された前記第２の識別記号を用いて前記暗号化情報を復号化する復号化手段と
を備えることを特徴とする病理診断報告システム。
【請求項２】
前記第１の識別記号は前記病理標本の検体ＩＤまたはオーダーＮｏであり、前記第２の識別記号は前記検体ＩＤ及前記オーダーＮｏのうちの前記第１の識別記号に用いられなかったものであることを特徴とする請求項１記載の病理診断報告システム。
【請求項３】
外部記録装置の接続及びインターネットへの接続が禁止されていることを特徴とする請求項１または２記載の病理診断報告システム。
【請求項４】
前記暗号化情報は、２次元バーコードにより記載されていることを特徴とする請求項１〜３の何れか一項に記載の病理診断報告システム。
【請求項５】
病理標本を示す記号である前記第１の識別記号及び前記第２の識別記号を記憶手段に記憶させる記憶ステップと、
病理医師に病理診断を依頼する際に前記病理標本に添付する依頼書であって、前記病理医師に依頼する検査内容、前記第１の識別記号及び前記第２の識別記号が記載された前記依頼書を作成する依頼書作成ステップと、
前記病理標本及び前記依頼書を前記病理医師に受け渡す依頼書受渡ステップと、
前記第１の識別記号を含む非暗号化情報及び前記第２の識別記号を暗号化キーとして用いることにより前記病理医師による診断結果を含む情報が暗号化された暗号化情報が記載された紙媒体の診断報告書を作成する診断報告書作成ステップと、
紙媒体の前記診断報告書を依頼医師に受け渡す報告書受渡ステップと、
前記依頼医師に受け渡された前記診断報告書を読み取る読取ステップと、
前記読取ステップにより読み取られた前記第１の識別記号が付された前記病理標本の前記第２の識別記号を読出手段を用いて前記記憶手段から読み出す読出ステップと、
前記読出ステップにより読み出された前記第２の識別記号を用いて前記暗号化情報を復号化する復号化ステップと
を含むことを特徴とする病理診断報告方法。
【請求項６】
前記暗号化情報は、２次元バーコードにより記載されていることを特徴とする請求項５記載の病理診断報告方法。
【請求項７】
前記報告書受渡ステップは、ＦＡＸ、宅配便または電子化した紙媒体のメール添付を用いて行われることを特徴とする請求項５または６記載の病理診断報告方法。
【発明の詳細な説明】
【技術分野】
【０００１】
本発明は、病理標本の診断結果を報告するための病理診断報告システム及び病理診断報告方法に関するものである。
【背景技術】
【０００２】
近年、病院や診療所においてカルテが電子化されることが一般的になり、病理診断についても病理標本を電子化した画像データを用いて行われている。例えば、特許文献１においては、病院や診療所のローカルエリアネットワーク（ＬＡＮ）に接続された端末と病理医師が有する端末とをインターネットを介して接続し、病院や診療所から病理医師に対して送信された画像データに基づいて病理医師は病理診断を行ない、診断結果をインターネットを介して病院や診療所に報告することが開示されている。
【先行技術文献】
【特許文献】
【０００３】
【特許文献１】特開２０１１−４８４３８号公報
【発明の概要】
【発明が解決しようとする課題】
【０００４】
しかし、病院や診療所等の医療機関内のＬＡＮを介してインターネット等の外部ネットワークに接続することによりウイルス感染や情報漏えいの危険が発生するため、病院内のＬＡＮを介した外部ネットワークへの接続が禁止されることが多くなっている。
【０００５】
また、病院や診療所内のＬＡＮに接続されたＰＣにＵＳＢメモリ等の外部記録装置を接続することについても、ＵＳＢメモリの紛失等による情報漏えいの危険性や外部記録装置が接続されることによるウイルス感染の危険性を考慮して禁止されることが多くなっている。
一方で、病理医師は、病理診断の結果を迅速に医療機関に報告することも求められている。
【０００６】
本発明の目的は、高いセキュリティを確保することができ、迅速に病理診断の結果を医療機関に対して報告することができる病理診断報告システム及び病理診断報告方法を提供することである。
【課題を解決するための手段】
【０００７】
本発明の病理診断報告システムは、病理標本を示す記号である第１の識別記号及び第２の識別記号を記憶する記憶手段と、病理医師に病理診断を依頼する際に前記病理標本に添付する依頼書であって、前記病理医師に依頼する検査内容、前記第１の識別記号及び前記第２の識別記号が記載された前記依頼書を作成する依頼書作成手段と、前記第１の識別記号を含む非暗号化情報と、前記第２の識別記号を暗号化キーとして用いることにより前記病理医師による診断結果を含む情報が暗号化された暗号化情報とが記載された紙媒体の診断報告書を読み取る読取手段と、前記読取手段により読み取られた前記第１の識別記号が付された前記病理標本の前記第２の識別記号を前記記憶手段から読み出す読出手段と、前記読出手段により読み出された前記第２の識別記号を用いて前記暗号化情報を復号化する復号化手段とを備えることを特徴とする。
【０００８】
また、本発明の病理診断報告システムは、前記第１の識別記号は前記病理標本の検体ＩＤまたはオーダーＮｏであり、前記第２の識別記号は前記検体ＩＤ及前記オーダーＮｏのうちの前記第１の識別記号に用いられなかったものであることを特徴とする。
また、本発明の病理診断報告システムは、外部記録装置の接続及びインターネットへの接続が禁止されていることを特徴とする。
また、本発明の病理診断報告システムは、前記暗号化情報が、２次元バーコードにより記載されていることを特徴とする。
【０００９】
また、本発明の病理診断報告方法は、病理標本を示す記号である前記第１の識別記号及び前記第２の識別記号を記憶手段に記憶させる記憶ステップと、病理医師に病理診断を依頼する際に前記病理標本に添付する依頼書であって、前記病理医師に依頼する検査内容、前記第１の識別記号及び前記第２の識別記号が記載された前記依頼書を作成する依頼書作成ステップと、前記病理標本及び前記依頼書を前記病理医師に受け渡す依頼書受渡ステップと、前記第１の識別記号を含む非暗号化情報及び前記第２の識別記号を暗号化キーとして用いることにより前記病理医師による診断結果を含む情報を暗号化した暗号化情報が記載された紙媒体の診断報告書を作成する診断報告書作成ステップと、紙媒体の前記診断報告書を依頼医師に受け渡す報告書受渡ステップと、前記依頼医師に受け渡された前記診断報告書を読み取る読取ステップと、前記読取ステップにより読み取られた前記第１の識別記号が付された前記病理標本の前記第２の識別記号を読出手段を用いて前記記憶手段から読み出す読出ステップと、前記読出ステップにより読み出された前記第２の識別記号を用いて前記暗号化情報を復号化する復号化ステップとを含むことを特徴とする。
また、本発明の病理診断報告方法は、前記暗号化情報が、２次元バーコードにより記載されていることを特徴とする。
また、本発明の病理診断報告方法は、前記報告書受渡ステップが、ＦＡＸ、宅配便または電子化した紙媒体のメール添付を用いて行われることを特徴とする。
【発明の効果】
【００１０】
本発明の病理診断報告システム及び病理診断報告方法によれば、高いセキュリティを確保することができ、迅速に病理診断結果を病院や診療所に対して報告することができる。
【図面の簡単な説明】
【００１１】
【図１】実施の形態に係る病理診断報告システムのシステム構成を示すブロック図である。
【図２】実施の形態に係る病理医師端末のシステム構成を示すブロック図である。
【図３】実施の形態に係る病理医師端末における処理を示すフローチャートである。
【図４】実施の形態に係る病理診断の結果がテキストにより記載された病理診断報告書を示す図である。
【図５】実施の形態に係る病理診断の結果が２次元バーコード化された病理診断報告書を示す図である。
【図６】実施の形態に係る病理診断報告システムの処理を示すフローチャートである。
【発明を実施するための形態】
【００１２】
以下、図面を参照して本発明の実施の形態に係る病理診断報告システム及び病理診断報告方法について説明する。図１は、実施の形態に係る病理診断報告システムのシステム構成を示すブロック図である。病理診断報告システム２は制御部４を備え、制御部４には、病理医師に検査を依頼するための検査依頼書を印刷する印字部６、検査を依頼する病理標本の検体ＩＤ８や依頼番号（オーダーＮｏ）１０、病理医師に依頼する検査内容、病理医師により作成された病理報告書に記載された病理診断の結果等のデータを記憶する記憶部１２、病理医師により作成された病理報告書から検体ＩＤ８を読み取るＯＣＲ１４、病理医師により作成された病理報告書から２次元バーコードで記載された病理診断の結果を読み取る２次元バーコードリーダー１６、病理医師に依頼する検査内容の入力、ＯＣＲ１４及び２次元バーコードリーダー１６による読み取り指示等を行う入力部１８、入力された検査内容やＯＣＲ１４及び２次元バーコードリーダー１６により読み取られた情報を表示する表示部２０が接続されている。
【００１３】
ここで、記憶部１２には病理医師に検査を依頼する各病理標本に付された固有の検体ＩＤ８及びオーダーＮｏ１０が記憶されている。従って、１つの病理標本に付された検体ＩＤ８とオーダーＮｏ１０とは１対１で対応している。なお、病理診断報告システム２は病院または診療所等の医療機関に設置されている。また、病理診断報告システム２は、インターネットへの接続が禁止されている。さらに、病理診断報告システム２を構成する端末にＵＳＢメモリ等の外部記録装置を接続することが禁止されている。
【００１４】
図２は病理医師端末のシステム構成を示すブロック図である。病理医師端末２２は、制御部２４を備え、制御部２４には病理診断の結果、検体ＩＤ８及びオーダーＮｏ１０等を入力する入力部２６、病理診断の結果がテキストにより記載された病理報告書３０（図４参照）及び病理診断の結果が２次元バーコード３４により記載された病理報告書３２（図５参照）を印刷する印刷部２８が接続されている。なお、病理医師端末１８は、病理医師が病理標本の観察を行う検査室等に設置されている。
【００１５】
次に、図３及び図６に示すフローチャートを参照して実施の形態に係る病理診断報告方法について説明する。まず、病理診断報告システム２は、医療機関の依頼医師により作成され、病理医師に対して依頼する検査内容が記載された検査依頼書を印字部６により印字する。ここで、検査依頼書には、検査内容、検体ＩＤ８及びオーダーＮｏ１０が記載されている。また、医療機関においては、検査対象となる病理標本を作製する。医療機関は、病理標本に検査依頼書を添付して病理医師に対して宅配便等により送付する。
【００１６】
病理医師は検査依頼書が添付された病理標本を受け取ると、病理標本についての観察を行う。そして、図３に示すように病理医師は、病理医師端末２２の入力部２６を介して病理診断の結果を入力する（ステップＳ１）。このとき病理医師は、検査依頼書に記載された検体ＩＤ８及びオーダーＮｏ１０をさらに入力する。
【００１７】
次に、病理医師により入力部２６を用いて病理報告書の印刷指示が行われると、制御部２４は印刷部２８により病理報告書の印刷を行う。まず、図４に示すように制御部２４は、印刷部２８にテキストで記載された病理報告書３０を印刷させる（ステップＳ２）。
【００１８】
また、図５に示すように制御部２４は印刷部２８に、検体ＩＤ８がテキストにより記載され、病理診断の結果が２次元バーコード３４により記載された病理報告書３２を印刷させる（ステップＳ３）。ここで、制御部２４は、オーダーＮｏ１０を暗号化キーとして用いて病理診断の結果を暗号化し、暗号化した病理診断の結果を２次元バーコード化して、印刷部２８に印刷させる。
【００１９】
次に、病理医師は、病理診断の依頼を行った診療機関の依頼医師に対して病理診断の結果が２次元バーコード３４により記載された病理報告書３２をＦＡＸにより送付する。なお、病理医師は、病理診断の結果がテキストにより記載された病理報告書３０に捺印を行うことにより原本とし、宅配便等により医療機関の依頼医師に対して送付する。
【００２０】
医療機関はＦＡＸにより病理報告書３２を受け取ると、受信した病理報告書３２を紙に印刷する。その後、病理診断報告システム２のＯＣＲ１４により紙に印刷された病理報告書３２の検体ＩＤ８を読み取る（ステップＳ１１）。検体ＩＤ８を読み取ると、制御部４は、記憶部１２に記憶されたデータから検体ＩＤ８が付された病理標本のオーダーＮｏ１０を読み出す（ステップＳ１２）。
【００２１】
次に、バーコードリーダー１６により病理報告書３２に印刷された２次元バーコード３４を読み取り（ステップＳ１３）、読み取った情報をステップＳ１２において読み出したオーダーＮｏ１０を用いて復号化させる（ステップＳ１４）。復号化を行うと、制御部４は病理診断の結果を表示部２０に表示させる（ステップＳ１５）。さらに、制御部４は病理診断の結果を記憶部１２に記憶させる。
【００２２】
本実施の形態に係る病理診断報告システム及び病理診断報告方法によれば、高いセキュリティを確保することができ、迅速に病理診断の結果を医療機関に対して報告することができる。
【００２３】
また、医療機関においてもＦＡＸにより病理報告書を受け取った後に、迅速に診断結果を表示させることができる。また、読み取った２次元バーコードに基づく病理診断の結果を病理診断報告システムの表示部に表示させるため、病理医師が作成した病理報告書の内容が改ざんされることなく表示させることができる。
【００２４】
また、２次元バーコードで記載された病理診断の結果は暗号化されているため、ＦＡＸが誤送信された場合でも情報の漏えいを防ぐことができる。さらに、病理医師は医療機関に対して原本を送付するため、２次元バーコードに基づいて表示された診断結果と原本とを照合することにより院内システム間で生じ得るデータの誤変換を回避することができる。２次元バーコードに基づいて表示された診断結果と原本とを照合することにより真正性の証明を実現することができる。
【００２５】
なお、上述の実施の形態においては、図６のステップＳ１１においてテキストにより記載された検体ＩＤ８を読み取る構成としたが、２次元バーコードにより記載された検体ＩＤ８を読み取る構成としてもよい。
【００２６】
この場合には、図６のステップＳ３において、病理医師端末２２の制御部２４は印刷部２８に、検体ＩＤ８及び病理診断の結果が２次元バーコードにより記載された病理報告書を印刷させる。この病理報告書の２次元バーコードにおいて、検体ＩＤ８は暗号化されずに印刷され、病理診断の結果は暗号化されて印刷される。ここで、制御部２４は、オーダーＮｏ１０を暗号化キーとして用いて病理診断の結果を暗号化する。
【００２７】
そして、診療機関においては、まず、病理診断報告システム２のバーコードリーダー１６により２次元バーコードのうちの暗号化されていない検体ＩＤ８の情報を読み取り、その後、図６のステップＳ１２に示すように記憶部１２に記憶されたデータから検体ＩＤ８が付された病理標本のオーダーＮｏ１０を読み出す。次に、バーコードリーダー１６により２次元バーコードのうちの暗号化された情報、即ち病理診断の結果を読み出し、その後、図６のステップＳ１４に示す復号化処理及びステップＳ１５に示す表示処理を行う。
【００２８】
また、上述の実施の形態においては、検体ＩＤ８を診断報告書３２に記載し、オーダーＮｏ１０を暗号化キーとして用いる構成としたが、オーダーＮｏ１０を診断報告書３２に記載し、検体ＩＤ８を暗号化キーとして用いる構成としてもよい。
【００２９】
また、上述の実施の形態においては、病理医師は病理診断の結果が２次元バーコード３４により記載された病理報告書３２をＦＡＸにより診療機関に送付する構成としたが、宅配便等により診療機関に送付する構成としてもよいし、紙媒体の病理報告書３２をＰＤＦ等のファイル形式の電子文書、即ち、電子化した紙媒体を電子メールに添付して医療機関に送付する構成としてもよい。
【符号の説明】
【００３０】
２…病理診断報告システム、４…制御部、６…印字部、８…検体ＩＤ、１０…オーダーＮｏ、１６…バーコードリーダー、２２…病理医師端末
【図１】
2014102632.tif 000003
【図２】
2014102632.tif 000004
【図３】
2014102632.tif 000005
【図４】
2014102632.tif 000006
【図５】
2014102632.tif 000007
【図６】
2014102632.tif 000008